(57)【特許請求の範囲】
【請求項１】
１枚のシートで被梱包物を略四角形断面に巻いた梱包において、少なくとも隣接する２面の全面を２重にし、前記被梱包物を保持するパットが前記シートと一体に形成されるとともに、前記パットは、中間部が梱包内の内面に接するように略Ｕ形に折曲され、中間部の両側に切り起こし片を有し、前記パットの先端部は２重面で形成された前記シートのコーナに当て、基端部は先端部と隣り合う一方のコーナに前記シートと一体に形成され、前記先端部と基端部が位置する面と反対側の面の２つのコーナに、前記切り起こし片の端部を当てて、前記被梱包物が前記切り起こし片を設けることで形成された開口により保持されることを特徴とする梱包。
【請求項２】
前記パットの先端部は、梱包の４本バンド掛け時にコーナに位置する請求項１記載の梱包。
【請求項３】
被梱包物が内部に一列に並べて配置された複数の製品で、各製品間でシートに分割用ミシン目を設けた請求項１記載の梱包。
【請求項４】
分割用ミシン目が形成されない接続部が少ない面と多い面を設けた請求項３記載の梱包。
【請求項５】
２重となる面の一方の面は、両面部の少なくとも１箇所に接続部を設けるとともに、他方の面の接続部は前記一方の面より少なくした請求項４記載の梱包。
【発明の詳細な説明】
【０００１】
【発明の属する技術分野】
この発明は、梱包に関するものである。
【０００２】
【従来の技術】
図４は従来の梱包の斜視図、図５はその集合梱包時の外装箱の斜視図である。従来の梱包は、図４に示すように、１枚のシート５０で略四角形断面を有する製品を巻いたもので、梱包内に複数の製品５１を１列に並べて配置し、各製品間のシート面全周に同一の分割用ミシン目５２を設けている。この場合、２重になっている面は１面以下である。また、集合梱包とする場合は、図５に示すように、別の外装箱５３等を必要とする。
【０００３】
【発明が解決しようとする課題】
しかしながら、上記従来例では、下記のような問題点がある。すなわち、４本バンド掛け時には総重量が４倍となるにもかかわらず、外周面が１重のままであるので輸送、荷扱い時の製品保護強度が不足する。また、略四角形断面を有しない製品を梱包することができない。また、分割用ミシン目が全周同一なため、輸送、荷扱い時にばらばらにならないような接続強度を確保した場合、分割しやすい面がなく分割し難いので作業性が低下する。さらに、集合梱包時、製品保護強度を確保するために別途外装箱等が必要なため、材料コストがかさむだけでなく資源の浪費ともなる。
【０００４】
したがって、この発明の目的は、輸送、荷扱い時の製品保護強度が高く、略四角形断面以外の製品を保持でき、分割作業が容易にでき、材料コストを抑えることができる梱包を提供することである。
【０００５】
【課題を解決するための手段】
上記課題を解決するためにこの発明の請求項１記載の梱包は、１枚のシートで被梱包物を略四角形断面に巻いた梱包において、少なくとも隣接する２面の全面を２重にし、前記被梱包物を保持するパットが前記シートと一体に形成されるとともに、前記パットは、中間部が梱包内の内面に接するように略Ｕ形に折曲され、中間部の両側に切り起こし片を有し、前記パットの先端部は２重面で形成された前記シートのコーナに当て、基端部は先端部と隣り合う一方のコーナに前記シートと一体に形成され、前記先端部と基端部が位置する面と反対側の面の２つのコーナに、前記切り起こし片の端部を当てて、前記被梱包物が前記切り起こし片を設けることで形成された開口により保持される。
【０００６】
このように、１枚のシートで被梱包物を略四角形断面に巻いた梱包において、少なくとも隣接する２面の全面を２重にし、被梱包物を保持するパットがシートと一体に形成されているので、４本バンド掛け時において、外周面４面が全ての２重となるように積み重ねることができる。このため、４本バンド掛け時に４倍の総重量かかるような場合でも、輸送、荷扱い時の製品保護強度を確保できる。
【０００７】
また、パットの先端部は２重面で形成されたシートのコーナに当て、基端部は先端部と隣り合う一方のコーナにシートと一体に形成され、先端部と基端部が位置する面と反対側の面の２つのコーナに、切り起こし片の端部を当てて、被梱包物が切り起こし片を設けることで形成された開口により保持されるので、パットの位置が固定され、切り起こし片を設けることで形成された開口を利用することで略四角形断面を有しない被梱包物を保持することができる。
【０００８】
請求項２記載の梱包は、請求項１において、前記パットの先端部は、梱包の４本バンド掛け時にコーナに位置する。このように、パットの先端部は、梱包の４本バンド掛け時にコーナに位置するので、４本バンド掛け時において、外周面４面が全て２重となるようにしたことで、輸送、荷扱い時の製品保護強度を確保できる。これに伴い、外装箱が不要で材料コストを抑えることができる。また、パットにより略四角形断面を有しない被梱包物を梱包することができる。
【０００９】
請求項３記載の梱包は、請求項１において、被梱包物が内部に一列に並べて配置された複数の製品で、各製品間でシートに分割用ミシン目を設けた。このように、被梱包物が内部に一列に並べて配置された複数の製品で、各製品間でシートに分割用ミシン目を設けたので、輸送、荷扱い時の接続強度を確保しつつ、分割作業においては分割ミシン目により分割することができる。
【００１０】
請求項４記載の梱包は、請求項３において、分割用ミシン目が形成されない接続部が少ない面と多い面を設けた。このように、分割用ミシン目が形成されない接続部が少ない面と多い面を設けたので、接続強度は接続部の多い面で確保し、分割作業は分割用ミシン目の接続部が少ない接続強度を落とした面から簡単に行える。
【００１１】
請求項５記載の梱包は、請求項４において、２重となる面の一方の面は、両面部の少なくとも１箇所に接続部を設けるとともに、他方の面の接続部は前記一方の面より少なくした。このように、２重となる面の一方の面は、両面部の少なくとも１箇所に接続部を設けるとともに、他方の面の接続部は前記一方の面より少なくしたので、２重となる面の他方の面より分割作業を簡単に行うことができ、一方の面で接続強度を確保できる。
【００１２】
【発明の実施の形態】
この発明の実施の形態の梱包を図１ないし図３に基づいて説明する。図１はこの発明の実施の形態の梱包の斜視図、図２は梱包される製品の斜視図、図３はこの発明の実施の形態の集合梱包の斜視図である。
【００１３】
図１に示すように、この梱包１は、１枚のシート１０で被梱包物を略四角形断面に巻き、少なくとも隣接する２面１ａ，１ｂを２重にしている。梱包１の内部には被梱包物２を保持するパット３がシート１０と一体に形成されている。パット３は、梱包１内において中間部が内面に接するように略Ｕ形に折曲され、中間部の両側に切り起こし片４が形成されている。また、図３に示すような梱包１の４本バンド掛け時にコーナに位置する２重面にパット３の先端部３ａを当てている。パット３の基端部３ｂは先端部３ａと隣合う一方のコーナに位置し、先端部３ａと基端部３ｂが位置する面と反対側の面の２つのコーナに、パット３の切り起こし片４の端部を当てている。また、被梱包物はこの場合、図２に示すように、照明器具の反射鏡等の製品２であり、切り起こし片４を設けることで形成された開口により保持されるとともに、首部２ａは２重面の一方に当接し、縁部２ｂは切り起こし片４に当接した状態で梱包される。
【００１４】
また、製品２は梱包１の内部に一列に並べて複数個配置され、各製品２間でシート１０に分割用ミシン目１１を設け梱包１を複数の部分に分割している。これに伴い、梱包１の分割された各部分毎に上記切り起こし片４が形成してある。また、分割用ミシン目１１が形成されない接続部１２が各面に設けてあるが、少ない面１ｂ，１ｃ，１ｄと多い面１ａを設けている。この場合、２重となる面１ａ，１ｂの一方の面１ａは、両面部の２箇所に接続部１２を各々設けるとともに、他方の面１ｂの接続部１２は一方の面１ａより少なく片面部の１箇所に設けている。
【００１５】
集合梱包とする場合は、図３に示すように、梱包１を上下２段にしてバンド１５により４本バンド掛けする。このとき、２重面１ａ，１ｂが全て外周となるように配置し、製品２が上下段において反対向きとなるように梱包する。すなわち、製品２の強度の強い首部２ａを２重面１ａに配置し、強度の弱い縁部２ｂを集合梱包の内側に位置する内面１ｃに配置する。縁部２ｂと内面１ｃとの間に切り起こし片４を介在させることで隙間が形成され、この隙間により輸送時において縁部２ｂにかかる衝撃を緩和できる。
【００１６】
以上のようにこの実施の形態によれば、１枚のシート１０で製品２を略四角形断面に巻き、少なくとも隣接する２面１ａ，１ｂを２重にしたので、４本バンド掛け時において、外周面４面が全ての２重となるように積み重ねることができる。このため、４本バンド掛け時に４倍の総重量かかるような場合でも、輸送、荷扱い時の製品保護強度を確保できる。また、これに伴い、外装箱が不要で材料コストを抑えることができる。また、パット３により略四角形断面を有しない被梱包物を梱包することができる。
【００１７】
また、パット３の先端部３ａと基端部３ｂが位置する面と反対側の面の２つのコーナに、パット３の切り起こし片４の端部を当てたので、パット３の位置が固定され、切り起こし片４を設けることで形成された開口を利用することで略四角形断面を有しない製品２を保持することができる。
【００１８】
また、被梱包物が内部に一列に並べて配置された複数の製品２で、各製品間でシートに分割用ミシン目１１を設けたので、輸送、荷扱い時の接続強度を確保しつつ、分割作業においては分割ミシン目１１により分割することができる。また、接続強度は接続部１２の多い面で確保し、分割作業は分割用ミシン目１１の接続部１２が少ない接続強度を落とした面から簡単に行える。この場合、２重となる面においては、面１ｂより分割作業を簡単に行うことができ、面１ａで接続強度を確保できる。
【００１９】
なお、パット３の形状は製品に対応する形状であればよい。接続部１２の数は多い面と少ない面があれば何個あってもよい。
【００２０】
【発明の効果】
この発明の梱包によれば、１枚のシートで被梱包物を略四角形断面に巻いた梱包において、少なくとも隣接する２面の全面を２重にし、被梱包物を保持するパットがシートと一体に形成されているので、４本バンド掛け時において、外周面４面が全ての２重となるように積み重ねることができる。このため、４本バンド掛け時に４倍の総重量かかるような場合でも、輸送、荷扱い時の製品保護強度を確保できる。
【００２１】
また、パットは、中間部が梱包内の内面に接するように略Ｕ形に折曲され、中間部の両側に切り起こし片を有し、パットの先端部は２重面で形成されたシートのコーナに当て、基端部は先端部と隣り合う一方のコーナにシートと一体に形成され、先端部と基端部が位置する面と反対側の面の２つのコーナに、切り起こし片の端部を当てて、被梱包物が切り起こし片を設けることで形成された開口により保持されるので、パットの位置が固定され、切り起こし片を設けることで形成された開口を利用することで略四角形断面を有しない被梱包物を保持することができる。
【００２２】
請求項２では、パットの先端部は、梱包の４本バンド掛け時にコーナに位置するので、４本バンド掛け時において、外周面４面が全て２重となるようにしたことで、輸送、荷扱い時の製品保護強度を確保できる。これに伴い、外装箱が不要で材料コストを抑えることができる。また、パットにより略四角形断面を有しない被梱包物を梱包することができる。
【００２３】
請求項３では、被梱包物が内部に一列に並べて配置された複数の製品で、各製品間でシートに分割用ミシン目を設けたので、輸送、荷扱い時の接続強度を確保しつつ、分割作業においては分割ミシン目により分割することができる。
【００２４】
請求項４では、分割用ミシン目が形成されない接続部が少ない面と多い面を設けたので、接続強度は接続部の多い面で確保し、分割作業は分割用ミシン目の接続部が少ない接続強度を落とした面から簡単に行える。
【００２５】
請求項５では、２重となる面の一方の面は、両面部の少なくとも１箇所に接続部を設けるとともに、他方の面の接続部は前記一方の面より少なくしたので、２重となる面の他方の面より分割作業を簡単に行うことができ、一方の面で接続強度を確保できる。
【図面の簡単な説明】
【図１】この発明の実施の形態の梱包の斜視図である。
【図２】梱包される製品の斜視図である。
【図３】この発明の実施の形態の集合梱包の斜視図である。
【図４】従来の梱包の斜視図である。
【図５】その集合梱包時の外装箱の斜視図である。
【符号の説明】
１  梱包
１ａ，１ｂ  ２重面
２  製品
３  パット
３ａ  先端部
３ｂ  基端部
４  切り起こし片
１０  シート
１１  分割用ミシン目
１２  接続部
【図１】
0003837984.tif 000002
【図２】
0003837984.tif 000003
【図３】
0003837984.tif 000004
【図４】
0003837984.tif 000005
【図５】
0003837984.tif 000006